(57)【特許請求の範囲】
【請求項１】
導体の外周を絶縁体で被覆した複数の絶縁電線と、
前記複数の絶縁電線の外周に設けられたシースとを備えるＬＡＮケーブルからなるジャンパ線において、
前記導体は、中心に配置されたテンションメンバと、前記テンションメンバの周囲に圧縮されずに撚り合わされて配置された複数の導線とを有し、
前記導体の撚り合わせピッチ（Ｐ）と撚り合わせ外径（ＰＤ）との比（Ｐ／ＰＤ）は、１５〜１７である、
鉄道車両間に用いられるジャンパ線。
【請求項２】
前記テンションメンバは、複数のテンションメンバである、
請求項１に記載のジャンパ線。
【発明の詳細な説明】
【技術分野】
【０００１】
本発明は、ＬＡＮケーブルに関する。
【背景技術】
【０００２】
ＬＡＮ用の通信に使用されるツイストペアケーブルには、耐屈曲性を持たせるために撚線導体が使用されている。しかし、圧縮していない撚線導体を用いると、導体径が太くなり、減衰量が劣るために伝送距離が短くなる。
【０００３】
そこで、伝送特性を改善するため、圧縮撚線導体を用いたツイストペアケーブルが提案されている（例えば、特許文献１参照）。
【０００４】
特許文献１に記載されたツイストペアケーブルは、圧縮撚線導体を用い、その圧縮撚線導体を絶縁体で被覆した心線を２本撚り合わせて１対の心線としたものである。
【先行技術文献】
【特許文献】
【０００５】
【特許文献１】特開２００９−２３０９１１号公報
【発明の概要】
【発明が解決しようとする課題】
【０００６】
しかし、従来のツイストペアケーブルの心線は、素線を撚り合わせる際の圧縮によって素線の伸びが減衰する。このため、当該ケーブルを繰返し屈曲される部分に使用すると、断線のおそれがある。例えば、鉄道車両間の渡り線に用いるツイストペアケーブルには、アメリカ通信工業会（ＴＩＡ）とアメリカ電子工業会（ＥＩＡ）による規格（ＣＡＴ５Ｅ：エンハンストカテゴリー５）の特性が求められているが、従来のツイストペアケーブルでは、その規格の特性を満足することは難しい。
【０００７】
したがって、本発明の目的は、繰り返し曲げを受けても長期に亘って所定の規格を満足することが可能な耐屈曲性を備えたＬＡＮケーブルを提供することにある。
【課題を解決するための手段】
【０００８】
［１］導体の外周を絶縁体で被覆した複数の絶縁電線と、前記複数の絶縁電線の外周に設けられたシースとを備えるＬＡＮケーブルからなるジャンパ線において、前記導体は、中心に配置されたテンションメンバと、前記テンションメンバの周囲に圧縮されずに撚り合わされて配置された複数の導線とを有し、前記導体の撚り合わせピッチ（Ｐ）と撚り合わせ外径（ＰＤ）との比（Ｐ／ＰＤ）は、１５〜２０である、鉄道車両間に用いられるジャンパ線。
［２］前記テンションメンバは、複数のテンションメンバである、前記［１］に記載のジャンパ線。
【発明の効果】
【０００９】
本発明によれば、繰り返し曲げを受けても長期に亘って所定の規格を満足することが可能な耐屈曲性を備えたＬＡＮケーブルを提供することができる。
【図面の簡単な説明】
【００１０】
【図１】図１は、本発明の実施の形態に係るＬＡＮケーブルの横断面図である。
【図２】図２は、図１に示すＬＡＮケーブルの導体の詳細を示す部分拡大図である。
【発明を実施するための形態】
【００１１】
以下、本発明の実施の形態について図面を参照して説明する。なお、各図中、実質的に同一の機能を有する構成要素については、同一の符号を付してその重複した説明を省略する。
【００１２】
［実施の形態］
図１は、本発明の実施の形態に係るＬＡＮケーブルの横断面図である。
【００１３】
このＬＡＮケーブル１は、導体２の外周を絶縁体３で被覆した複数の絶縁電線４と、複数の絶縁電線４の中心及び周囲に介在物５Ａ、５Ｂを介在させて巻き付けられた押さえテープ６と、押さえテープ６の外周に設けられたシールド層７と、シールド層７の外周に設けられたシース８とを備える。
【００１４】
複数の絶縁電線４は、撚り合わせて配置される。絶縁電線４は、例えば１ＭＨｚ〜１００ＭＨｚの信号を伝送する。絶縁電線４として、差動信号を伝送する１組又は２組以上のツイストペア線を用いてもよい。本実施の形態は、２組のツイストペア線を示す。導体２の構成については後述する。
【００１５】
押さえテープ６は、例えば、ポリエチレンテレフタレート（ＰＥＴ）、ポリプロピレン系樹脂等の樹脂からなる樹脂テープを用いることができる。
【００１６】
シールド層７は、例えば、導線を編組して形成され、グランドに接続される。なお、シールド層７は、導体付きテープを巻き付けたものでもよい。
【００１７】
シース８の材料としては、例えば、ポリ塩化ビニル（ＰＶＣ）、ポリエチレン（ＰＥ）、エチレンプロピレンゴム（ＥＰゴム）、ポリオレフィンに非ハロゲン系の難燃剤（金属水酸化物など）を配合してなるノンハロゲン難燃材料等を用いることができる。
【００１８】
介在物５Ａ、５Ｂは、例えば、ガラス繊維等の一般的なものを用いることができる。
【００１９】
（導体の構成）
図２は、図１に示すＬＡＮケーブル１の絶縁電線４の導体２の詳細の構成例を示す断面図である。導体２は、中心に配置された複数（例えば３本）のテンションメンバ（高張力線）２０と、テンションメンバ２０の周囲に圧縮されずに撚り合わされて配置された複数の導線２１とを有する。
【００２０】
テンションメンバ２０は、例えば、高張力鋼線（例えばピアノ線）、鋼線、繊維強化プラスチック（ＦＲＰ）線等を用いることができる。これらの線のうち、引張り強度が高いピアノ線が好ましい。複数のテンションメンバ２０は、撚り合わせて配置される。これにより耐屈曲性が向上する。
【００２１】
導線２１は、例えば、錫メッキ軟銅線を用いることができる。導線２１の撚り合わせピッチ（Ｐ）と撚り合わせ外径（ＰＤ）との比（Ｐ／ＰＤ）は、１５〜２０の範囲内が好ましい。Ｐ／ＰＤを１５以上としたのは、１５未満だと伝送特性（例えば、特性インピーダンス）がＣＡＴ５Ｅ規格を満足しないおそれがあるからである。Ｐ／ＰＤを２０以下としたのは、２０を超えると耐キンク性が急激に低下するからである。
【００２２】
（本実施の形態の作用、効果）
本実施の形態によれば、以下の作用、効果を奏する。
（１）導線２１のピッチを最適な値としているので、導体２の断面形状が真円に近くなり、ＣＡＴ５Ｅ規格の伝送特性を満足することができる。
（２）導体２の中心にテンションメンバ２０を配置しているので、繰り返し曲げを受けても長期に亘ってＣＡＴ５Ｅ規格を満足することが可能な耐屈曲性が得られる。
（３）本ＬＡＮケーブル１は、繰り返し曲げを受ける部分、例えば、鉄道車両間の渡り線（ジャンパー線）として使用することができる。
【実施例１】
【００２３】
次に、本発明の実施例を説明する。本実施例は、上記実施の形態に対応するものであり、絶縁電線４の導体２を構成するテンションメンバ２０は、外径０．２６ｍｍのピアノ線を用いた。また、導線２１は、外径０．１８ｍｍの錫メッキ軟銅線を、内層に１２本、外層に１８本配置した。導線２１の撚り合わせピッチは、２０ｍｍとし、Ｐ／ＰＤは１７とした。これにより、特性インピーダンスは、８５〜１１５Ω（１ＭＨｚ〜１００ＭＨｚ）となった。
【００２４】
なお、本発明の実施の形態は、上記実施の形態に限定されず、種々な実施の形態が可能
である。
【００２５】
また、本発明の要旨を変更しない範囲内で、上記実施の形態の構成要素の一部を省くことや変更することが可能である。
【符号の説明】
【００２６】
１…ＬＡＮケーブル、２…導体、３…絶縁体、４…絶縁電線、５Ａ、５Ｂ…介在物、
６…押さえテープ、７…シールド層、８…シース、２０…テンションメンバ、
２１…導線
【図１】
0006686316.tif 000002
【図２】
0006686316.tif 000003